(57)【特許請求の範囲】
【請求項１】
底面と設置面との間の水を吸い取る吸水装置を取り付けるための吸水装置取付部を含む第１本体部と、
前記第１本体部と接続する第２本体部とを備え、
前記第１本体部は、前記第２本体部よりも小さい高さを有するように形成されており、
前記第２本体部は、前記第１本体部に覆いかぶさるように配置されている、ウォーターフェンス。
【請求項２】
前記第１本体部は、前記第２本体部の半分以下の高さを有するように形成されている、請求項１に記載のウォーターフェンス。
【請求項３】
前記第１本体部および前記第２本体部の底面に配置され、前記第１本体部および前記第２本体部の設置面への設置性を向上させる設置力増強部材をさらに備える、請求項１または２に記載のウォーターフェンス。
【請求項４】
前記設置力増強部材は、前記第１本体部および前記第２本体部の設置時の自重と、前記吸水装置が吸水することとによって、弾性圧縮変形するとともに、外部の水を所定量透過させるように構成されている、請求項３に記載のウォーターフェンス。
【請求項５】
前記設置力増強部材は、前記設置面側に配置された第１設置力増強部材と、前記第１設置力増強部材より硬い材料により形成され、前記第１本体部および前記第２本体部側に配置された第２設置力増強部材とが積層状に構成されている、請求項３または４に記載のウォーターフェンス。
【請求項６】
前記第２本体部は、重り部材を収容可能な重り収容部を含む、請求項１〜５のいずれか１項に記載のウォーターフェンス。
【請求項７】
前記第２本体部の上面に積載可能な第３本体部をさらに備える、請求項１〜６のいずれか１項に記載のウォーターフェンス。
【請求項８】
前記第２本体部の上面には、第１係合部が設けられており、
前記第３本体部の底面には、第２係合部が設けられており、
前記第３本体部が前記第２本体部の上面に積載される際に、前記第１係合部および前記第２係合部が係合するように構成されている、請求項７に記載のウォーターフェンス。
【請求項９】
前記第１本体部は、前記第２本体部よりも大きい比重を有するように構成されている、請求項１〜８のいずれか１項に記載のウォーターフェンス。
【請求項１０】
前記第２本体部は、２つ設けられており、
２つの前記第２本体部が接続する境界の下方に前記第１本体部が配置され、
２つの前記第２本体部は、境界近傍において連結部材により互いに連結されている、請求項１〜９のいずれか１項に記載のウォーターフェンス。
【発明の詳細な説明】
【技術分野】
【０００１】
この発明は、ウォーターフェンスに関し、特に、浸水を防止するためのウォーターフェンスに関する。
【背景技術】
【０００２】
従来、浸水を防止するための水嚢（ウォーターフェンス）が知られている（たとえば、特許文献１参照）。
【０００３】
上記特許文献１には、洪水などによって大量の水が流れ出た場合、収納袋の中の吸水性樹脂が吸水して体積膨張することにより、流出した水による浸水を防ぐ堰として機能する水嚢（ウォーターフェンス）が開示されている。
【先行技術文献】
【特許文献】
【０００４】
【特許文献１】特開平１１−０６１７７３号公報
【発明の概要】
【発明が解決しようとする課題】
【０００５】
しかしながら、上記特許文献１では、収納袋の中の吸水性樹脂が吸水して体積膨張することにより、水嚢が形成されるため、水嚢の重量が大きくなるという不都合がある。このため、水嚢を積み上げて形成される堰の総重量が大きくなるという問題点がある。
【０００６】
この発明は、上記のような課題を解決するためになされたものであり、この発明の１つの目的は、総重量が大きくなるのを抑制することが可能なウォーターフェンスを提供することである。
【課題を解決するための手段】
【０００７】
この発明の一の局面によるウォーターフェンスは、底面と設置面との間の水を吸い取る吸水装置を取り付けるための吸水装置取付部を含む第１本体部と、第１本体部と接続する第２本体部とを備え、第１本体部は、第２本体部よりも小さい高さを有するように形成されており、第２本体部は、第１本体部に覆いかぶさるように配置されている。
【０００８】
この発明の一の局面によるウォーターフェンスでは、上記のように、第１本体部を、第２本体部よりも小さい高さを有するように形成するとともに、第２本体部を、第１本体部に覆いかぶさるように配置する。これにより、吸水装置取付部を含む第１本体部を第２本体部よりも小さく形成することができるので、吸水装置取付部の強度を高めるために第１本体部を比重の大きい部材により形成した場合でも、ウォーターフェンスの総重量が大きくなるのを抑制することができる。また、吸水装置によりウォーターフェンスの底面と設置面との間の水が吸い取られるので、ウォーターフェンスの底面と設置面との間に負圧を発生させることができる。これにより、ウォーターフェンスが設置面に対してずれるのを抑制することができるので、ウォーターフェンスの総重量を小さくした場合でも、ウォーターフェンスが水に流されるのを抑制することができる。また、第２本体部を第１本体部に覆いかぶさるように配置するよう構成することにより、第２本体部の高さを大きくすることのみにより、ウォーターフェンスの高さを大きくすることができる。さらに、第２本体部の上面を平坦に形成すれば、高さ方向に複数のウォーターフェンスを容易に積み重ねることができる。その結果、高い水位の水でも容易にせき止めることができる。
【０００９】
上記一の局面によるウォーターフェンスにおいて、好ましくは、第１本体部は、第２本体部の半分以下の高さを有するように形成されている。このように構成すれば、吸水装置取付部を含む第１本体部を効果的に小さく形成することができるので、第１本体部を比重の大きい部材により形成した場合でも、ウォーターフェンスの総重量が大きくなるのを効果的に抑制することができる。
【００１０】
上記一の局面によるウォーターフェンスにおいて、好ましくは、第１本体部および第２本体部の底面に配置され、第１本体部および第２本体部の設置面への設置性を向上させる設置力増強部材をさらに備える。このように構成すれば、凹凸のある設置面に対しての設置性や水密性を向上させることができるので、安定してウォーターフェンスを設置することができる。その結果、ウォーターフェンスの底面からの浸水を効果的に抑制することができる。
【００１１】
この場合、好ましくは、設置力増強部材は、第１本体部および第２本体部の設置時の自重と、吸水装置が吸水することとによって、弾性圧縮変形するとともに、外部の水を所定量透過させるように構成されている。このように構成すれば、設置力増強部材を、第１本体部および第２本体部の自重と吸水装置が吸水することにより生じる負圧とにより弾性圧縮変形させて、水の透過率が所定の値となるように抑制することができる。これにより、設置力増強部材を透過する水の量を吸水装置の呼び水として適度な水量としながら、設置力増強部材を透過した水を吸水装置により排水することができる。
【００１２】
上記設置力増強部材を備える構成において、好ましくは、設置力増強部材は、設置面側に配置された第１設置力増強部材と、第１設置力増強部材より硬い材料により形成され、第１本体部および第２本体部側に配置された第２設置力増強部材とが積層状に構成されている。このように構成すれば、第１設置力増強部材を、点字ブロックなどの設置面の凹凸に沿うように変形させることができるので、ウォーターフェンスの設置性および水密性をより向上させることができる。また、第１設置力増強部材より硬い第２設置力増強部材を設けることにより、点字ブロックなどの設置面の凸部が第１本体部または第２本体部に直接当たることに起因してウォーターフェンスが傾いて設置されるのを抑制することができる。これにより、吸水口部分が吸水面から離脱して空気中に配置されるのを抑制することができるので、吸水装置が空運転するのを効果的に抑制することができる。
【００１３】
上記一の局面によるウォーターフェンスにおいて、好ましくは、第２本体部は、重り部材を収容可能な重り収容部を含む。このように構成すれば、重り部材を第２本体部に容易に収容することができるので、ウォーターフェンスに加わる荷重を容易に増加させることができる。その結果、ウォーターフェンスが水により流されるのを抑制することができる。
【００１４】
上記一の局面によるウォーターフェンスにおいて、好ましくは、第２本体部の上面に積載可能な第３本体部をさらに備える。このように構成すれば、ウォーターフェンスの高さを容易に大きくすることができるので、高い水位の水をより容易にせき止めることができる。
【００１５】
この場合、好ましくは、第２本体部の上面には、第１係合部が設けられており、第３本体部の底面には、第２係合部が設けられており、第３本体部が第２本体部の上面に積載される際に、第１係合部および第２係合部が係合するように構成されている。このように構成すれば、第３本体部を第２本体部上に安定して積載させることができる。
【００１６】
上記一の局面によるウォーターフェンスにおいて、好ましくは、第１本体部は、第２本体部よりも大きい比重を有するように構成されている。このように構成すれば、吸水装置を取り付けるための吸水装置取付部を含む第１本体部の強度を容易に高くすることができる。
【００１７】
上記一の局面によるウォーターフェンスにおいて、好ましくは、第２本体部は、２つ設けられており、２つの第２本体部が接続する境界の下方に第１本体部が配置され、２つの第２本体部は、境界近傍において連結部材により互いに連結されている。このように構成すれば、第１本体部を挟むようにして、両側に第２本体部を配置することができるので、ウォーターフェンスの長さを容易に長くすることができる。
【発明の効果】
【００１８】
本発明によれば、上記のように、高い水位の水でも容易にせき止めることができる。
【図面の簡単な説明】
【００１９】
【図１】本発明の第１実施形態によるウォーターフェンスを上方から見た斜視図である。
【図２】本発明の第１実施形態によるウォーターフェンスを下方から見た斜視図である。
【図３】本発明の第１実施形態によるウォーターフェンス本体部を下方から見た斜視図である。
【図４】本発明の第１実施形態によるウォーターフェンスの分解斜視図である。
【図５】本発明の第１実施形態によるウォーターフェンスの第１本体部を下方から見た斜視図である。
【図６】本発明の第１実施形態によるウォーターフェンスの第２本体部を下方から見た斜視図である。
【図７】本発明の第１実施形態によるウォーターフェンスの第１本体部の断面図である。
【図８】本発明の第１実施形態によるウォーターフェンスの連結部材を外した状態を示した斜視図である。
【図９】本発明の第１実施形態によるウォーターフェンスの設置力増強部材の特性を示した表である。
【図１０】本発明の第１実施形態によるウォーターフェンスの設置力増強部材の水透過の特性を示した表である。
【図１１】本発明の第１実施形態によるウォーターフェンスにシートを設置した使用例を示した斜視図である。
【図１２】本発明の第２実施形態によるウォーターフェンスを上方から見た斜視図である。
【図１３】本発明の第２実施形態によるウォーターフェンスを下方から見た斜視図である。
【図１４】本発明の第２実施形態によるウォーターフェンス本体部を下方から見た斜視図である。
【図１５】本発明の第２実施形態によるウォーターフェンスの分解斜視図である。
【図１６】本発明の第２実施形態によるウォーターフェンスの第１本体部を下方から見た斜視図である。
【図１７】本発明の第２実施形態によるウォーターフェンスの第２本体部を下方から見た斜視図である。
【図１８】本発明の第２実施形態によるウォーターフェンスの第１本体部の断面図である。
【図１９】本発明の第２実施形態によるウォーターフェンスの連結部材を外した状態を示した斜視図である。
【図２０】本発明の第２実施形態によるウォーターフェンスの設置力増強部材の特性を示した表である。
【図２１】本発明の第２実施形態によるウォーターフェンスの第１設置力増強部材の水透過の特性を示した表である。
【図２２】本発明の第３実施形態によるウォーターフェンスを上方から見た斜視図である。
【図２３】本発明の第３実施形態によるウォーターフェンスの第３本体部を上方から見た斜視図である。
【図２４】本発明の第３実施形態によるウォーターフェンスの第３本体部を下方から見た斜視図である。
【図２５】本発明の第４実施形態によるウォーターフェンスを示した正面図である。
【図２６】本発明の第５実施形態によるウォーターフェンスを示した正面図である。
【発明を実施するための形態】
【００２０】
以下、本発明の実施形態を図面に基づいて説明する。
【００２１】
［第１実施形態］
（ウォーターフェンスの構成）
図１〜図１１を参照して、本発明の第１実施形態について説明する。第１実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。また、ウォーターフェンス本体部１には、自吸機能を有した自吸ポンプ（以下「ポンプ」と称す）３が接続されている。また、ポンプ３は、急な増水に対しても信頼性の高い水没使用が可能な防水構造を有するポンプとすることが望ましい。また、ウォーターフェンス本体部１には、重りとしてペットボトル４が配置されている。なお、ポンプ３は、特許請求の範囲の「吸水装置」の一例であり、ペットボトル４は、特許請求の範囲の「重り部材」の一例である。
【００２２】
（ウォーターフェンス本体部の構成）
ウォーターフェンス本体部１は、第１本体部１１と、第２本体部１２と、連結部材１３とを含んでいる。第１本体部１１は、吸水装置取付部１１１と、吸水口部１１２（図３参照）と、凸部１１３（図３参照）と、嵌合部１１４（図４参照）と、流路１１５（図７参照）とを有している。第２本体部１２は、重り収容部１２１（図１参照）と、凸部１２２（図３参照）と、連結用係合部１２３（図４参照）と、嵌合部１２４（図６参照）と、第１係合部１２５とを有している。
【００２３】
ウォーターフェンス本体部１は、浸水を防止するための堰を形成している。具体的には、ウォーターフェンス本体部１は、図１に示すように、第１本体部１１のＸ方向の両端に、それぞれ、第２本体部１２が接続されている。つまり、ウォーターフェンス本体部１は、複数に分割可能に構成されている。第１実施形態では、図１および図８に示すように、第２本体部１２は、第１本体部１１に覆いかぶさるように配置されている。つまり、第２本体部１２は、平面視において（Ｚ方向から見て）、第１本体部１１とオーバーラップするように配置されている。
【００２４】
具体的には、第２本体部１２は、２つ設けられており、２つの第２本体部１２が接続する境界の下方に第１本体部１１が配置されている。また、２つの第２本体部１２は、境界近傍においてゴム製の連結部材１３により互いに連結されている。詳しくは、図４に示すように、第２本体部１２の連結用係合部１２３同士が隣接し、密着して配置された状態で、連結部材１３が、２つの連結用係合部１２３に係合している。連結部材１３は、第２本体部１２の側面（Ｙ１方向側およびＹ２方向側の側面）と、上面（Ｚ１方向側の面）とに跨って係合するように構成されている。第１本体部１１および第２本体部１２は、封止材を介して接していてもよい。また、２つの第２本体部１２同士は、封止材を介して接していてもよい。
【００２５】
第１本体部１１は、水を透過させない素材により形成されている。第１本体部１１は、たとえば、ゴムや樹脂或いは金属などにより形成されている。第１本体部１１の吸水装置取付部１１１には、図１に示すように、ポンプ３が連結されるように構成されている。吸水装置取付部１１１は、ウォーターフェンス本体部１の底面１ａ側（Ｚ２方向側）に設けられた吸水口部１１２（図３参照）と、流路１１５を介して連通している。つまり、ウォーターフェンス本体部１の底面１ａと設置面との間の水が、ポンプ３により吸水口部１１２および吸水装置取付部１１１を介して吸水される。図７に示すように、吸水装置取付部１１１は、流路１１５に挿入されたパイプに設けられている。吸水口部１１２は、流路１１５に挿入されたパイプに設けられている。また、吸水口部１１２に、異物除去用のフィルターを設けてもよい。これにより、ポンプ３によって吸い込み、排出される水からゴミなどの異物を除去することができるので、緊急時の水として活用することも可能である。また、吸水口部１１２にフィルターを設けることにより、吸い上げる水とともに第１本体部１１（ウォーターフェンス本体部１）内に異物が入り込むのを抑制することができる。なお、フィルターは吸込みから排出までの間に設けられれば良いので、ポンプ３の吸水用ホースなどに設けてもよい。
【００２６】
図３に示すように、第１本体部１１の下面側（Ｚ２方向側）には、凸部１１３が設けられている。凸部１１３の外側の平坦面には、設置力増強部材２が取り付けられるように構成されている。また、凸部１１３は、吸水口部１１２をＹ方向に挟み込むように、一対設けられている。また、凸部１１３は、第１本体部１１に連結される第２本体部１２の凸部１２２とつながるように形成されている。
【００２７】
図５に示すように、第１本体部１１の底面部（Ｚ２方向側部）には、第２本体部１２側に凸状に突出する嵌合部１１４が設けられている。嵌合部１１４は、第２本体部１２の嵌合部１２４に嵌合するように構成されている。また、嵌合部１１４は、平面視において（Ｚ方向から見て）、第２本体部１２とオーバーラップするように配置されている。つまり、嵌合部１１４は、第１本体部１１および第２本体部１２を底面を上にして組立てた場合に、第２本体部１２に覆いかぶさるように、嵌合部１２４に嵌合する。
【００２８】
ここで、第１実施形態では、第１本体部１１は、図４に示すように、Ｈ１の高さを有するように形成されている。また、第２本体部１２は、Ｈ２の高さを有するように形成されている。第１本体部１１は、第２本体部１２よりも小さい高さを有するように形成されている。具体的には、第１本体部１１は、第２本体部１２の半分以下の高さを有するように形成されている。つまり、Ｈ１≦Ｈ２／２である。また、第１本体部１１は、第２本体部１２よりも大きい比重を有するように構成されている。
【００２９】
図１に示すように、第２本体部１２は、箱型形状を有している。また、第２本体部１２は、Ｘ方向に延びるように形成されている。また、第２本体部１２は、水を透過させない素材により形成されている。第２本体部１２は、たとえば、発砲スチロールやゴムや樹脂或いは金属などにより形成されている。第２本体部１２の重り収容部１２１には、重りとしてのペットボトル４が収容されるように構成されている。第２本体部１２の重り収容部１２１にペットボトル４が収容されることによりウォーターフェンス１００に加わる荷重を増すことが可能なように構成されている。なお、重り収容部１２１に、水、石、砂、土などを収容して重りとしてもよい。
【００３０】
図３に示すように、第２本体部１２の下面側（Ｚ２方向側）には、凸部１２２が設けられている。凸部１２２の外側の平坦面には、設置力増強部材２が取り付けられるように構成されている。また、凸部１２２は、略Ｕ字形状に形成されている。また、凸部１２２は、第２本体部１２に連結される第１本体部１１の凸部１１２とつながるように形成されている。つまり、第１本体部１１の凸部１１２と、第２本体部１２の凸部１２２とが連結されて、長方形のロ字形状の凸部が形成される。ロ字形状の凸部の内側は、ポンプ３により吸水される水の通り道となる。
【００３１】
図６に示すように、第２本体部１２の底面部（Ｚ２方向側部）には、第１本体部１１の嵌合部１１４が嵌合する嵌合部１２４が設けられている。具体的には、嵌合部１２４は、凹状に形成されており、凸状の嵌合部１１４が嵌合するように構成されている。嵌合部１１４および嵌合部１２４が嵌合することにより、第１本体部１１および第２本体部１２を組み立てる際に、第１本体部１１および第２本体部１２がＹ方向およびＺ方向にずれることを抑制することができるとともに、第１本体部１１と第２本体部１２との向きを間違えることなく位置決めが容易となるので、組み立て作業を容易に行うことが可能である。また、ウォーターフェンス１００の設置時にＹ方向に力が加わった場合に、第２本体部１２が第１本体部１１に対して折れ曲がるのを抑制することが可能である。
【００３２】
第２本体部１２の上面部（Ｚ１方向側部）には、第１係合部１２５が設けられている。具体的には、第１係合部１２５は、周状の溝により構成されている。第１係合部１２５は、重り収容部１２１の縁に沿って形成されている。第１係合部１２５は、第２本体部１２の上面にさらに別の本体部を積載する際に、係合させるために設けられている。
【００３３】
図２に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３４】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００３５】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジにより形成されている。また、設置力増強部材２は、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。
【００３６】
設置力増強部材２は、ウォーターフェンス本体部１の自重と、重り収容部１２１に取り付けられたペットボトル４の重さと、ポンプ３の吸引力によって生じる負圧とにより圧縮されるように構成されている。また、ポンプ３は、設置力増強部材２を透過した水を、設置面内側の空間の空気と共に吸引するように構成されている。つまり、設置力増強部材２により吸水された水が第１本体部１１の流路１１５を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００３７】
また、ポンプ３により、設置力増強部材２を透過した水を、設置面内側の空間の空気と共に吸引することにより、ウォーターフェンス本体部１と設置面との間の空間の真空度が上げられる。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００３８】
また、設置力増強部材２は、第１本体部１１の凸部１１３の外側の平坦面および第２本体部１２の凸部１２２の外側の平坦面に取り付けられるように構成されている。具体的には、設置力増強部材２は、両面テープなどの接着層を介して、第１本体部１１および第２本体部１２の底面に取り付けられる。また、設置力増強部材２は、図２に示すように、平面視（Ｚ方向から見て）において、Ｙ方向の端部が、第１本体部および第２本体部１２と略面一となるように配置されている。
【００３９】
ポンプ３は、ウォーターフェンス本体部１の底面１ａと設置面との間の水を吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４０】
図９を参照して、設置力増強部材２の特性の一例について説明する。
【００４１】
図９に示すように、設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００４２】
図１０を参照して、設置力増強部材２の特性（水透過）の一例について説明する。
【００４３】
図１０に示すように、水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００４４】
設置力増強部材２に用いる気孔率５０％〜６０％程度の半連続気泡構造のやわらかいスポンジは、図１０に示す一例のように、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、ポンプ３を駆動させた場合に、設置力増強部材２の圧縮率が５０％以上８０％以下になることが好ましい。
【００４５】
（シートを設置した使用例）
図１１を参照して、ウォーターフェンス本体部１をシート５により覆った状態の使用例について説明する。
【００４６】
図１１に示すように、ウォーターフェンス１００は、シート５を備える。シート５は、ウォーターフェンス本体部１を覆うように配置されている。また、シート５は、ウォーターフェンス本体部１の背面側のたとえば、柱５０や壁或いは扉（図示せず）などに取り付けられている。シート５は、水を透過させない素材により形成されている。たとえば、シート５は、ポリ塩化ビニルにより形成されている。
【００４７】
シート５をウォーターフェンス本体部１を覆うように設置することにより、ウォーターフェンス本体部１の背面（Ｙ１方向側）に回りこむ水をせき止めながら、ポンプ３により排水を行うことが可能に構成されている。また、シート５をウォーターフェンス本体部１の背面側（Ｙ１方向側）を高く覆うように設置することにより、ウォーターフェンス本体部１の背面に回りこむ水をせき止めながら、ポンプ３により排水を行うことが可能に構成されている。
【００４８】
シート５の前面側（Ｙ２方向側）は、設置面に対してわずかに離間して配置されている。つまり、シート５に覆われたウォーターフェンス本体部１の前面側（Ｙ２方向側）の設置面近傍における設置力増強部材２は、露出している。
【００４９】
シート５は、ウォーターフェンス本体部１の柱５０側（建物側）に水溜まり部５ａが形成されるように配置される。具体的には、シート５をウォーターフェンス本体部１に沿うように覆い、柱５０側の設置面と扉を含めた建物側面に沿って配置するとともに、柱５０や壁或いは扉（図示せず）などに沿って上下方向（Ｚ方向）に延びるように配置する。このようにシート５を配置することにより、ウォーターフェンス本体部１を越える急な増水の水位の水が押し寄せたとしても、ウォーターフェンス本体部１を越えた水を水溜まり部５ａで受けることができるので、扉を含めた建物内への浸水をより一層効果的にせき止めることができる。そして、水溜まり部５ａに溜まった水はウォーターフェンス本体部１に接続されたポンプ３により排水させることが可能である。また、水溜まり部５ａに溜まった水により、シート５を設置面と扉を含めた建物側面に対して密着させることが可能である。つまり、シート５は設置面と扉を含めた建物側面に対するフィッティング性に優れるので、凹凸のある地面や扉を含めた建物側面に対しても確実に密着させることが可能である。これにより、シート５を越えて浸水することや、ウォーターフェンス１００の背面への水の回り込みをより一層効果的に防ぐことが可能である。
【００５０】
（第１実施形態の効果）
第１実施形態では、以下のような効果を得ることができる。
【００５１】
第１実施形態では、上記のように、第１本体部１１を、第２本体部１２よりも小さい高さを有するように形成するとともに、第２本体部１２を、第１本体部１１に覆いかぶさるように配置する。これにより、吸水装置取付部１１１を含む第１本体部１１を第２本体部１２よりも小さく形成することができるので、吸水装置取付部１１１の強度を高めるために第１本体部１１を比重の大きい部材により形成した場合でも、ウォーターフェンス１００の総重量が大きくなるのを抑制することができる。また、ポンプ３によりウォーターフェンス１００の底面と設置面との間の水が吸い取られるので、ウォーターフェンス１００の底面と設置面との間に負圧を発生させることができる。これにより、ウォーターフェンス１００が設置面に対してずれるのを抑制することができるので、ウォーターフェンス１００の総重量を小さくした場合でも、ウォーターフェンス１００が水に流されるのを抑制することができる。また、第２本体部１２を第１本体部１１に覆いかぶさるように配置するよう構成することにより、第２本体部１２の高さを大きくすることのみにより、ウォーターフェンス１００の高さを大きくすることができる。さらに、第２本体部１２の上面を平坦に形成すれば、高さ方向に複数のウォーターフェンス１００を容易に積み重ねることができる。その結果、高い水位の水でも容易にせき止めることができる。
【００５２】
また、第１実施形態では、第１本体部１１を、第２本体部１２の半分以下の高さを有するように形成する。これにより、吸水装置取付部１１１を含む第１本体部１１を効果的に小さく形成することができるので、第１本体部１１を比重の大きい部材により形成した場合に、ウォーターフェンス１００の総重量が大きくなるのを効果的に抑制することができる。
【００５３】
また、第１実施形態では、第１本体部１１および第２本体部１２の底面に配置され、第１本体部１１および第２本体部１２の設置面への設置性を向上させる設置力増強部材２を設ける。これにより、凹凸のある設置面に対しての設置性や水密性を向上させることができるので、安定してウォーターフェンス１００を設置することができる。その結果、ウォーターフェンス１００の底面からの浸水を効果的に抑制することができる。
【００５４】
また、第１実施形態では、設置力増強部材２を、第１本体部１１および第２本体部１２の設置時の自重と、ポンプ３が吸水することとによって、弾性圧縮変形するとともに、外部の水を所定量透過させるように構成する。これにより、設置力増強部材２を、第１本体部１１および第２本体部１２の自重とポンプ３が吸水することにより生じる負圧とにより弾性圧縮変形させて、水の透過率が所定の値となるように抑制することができる。その結果、設置力増強部材２を透過する水の量をポンプ３の呼び水として適度な水量としながら、設置力増強部材２を透過した水をポンプ３により排水することができる。
【００５５】
また、第１実施形態では、第２本体部１２に、ペットボトル４を収容可能な重り収容部１２１を設ける。これにより、ペットボトル４を第２本体部１２に容易に収容することができるので、ウォーターフェンス１００に加わる荷重を容易に増加させることができる。その結果、ウォーターフェンス１００が水により流されるのを抑制することができる。
【００５６】
また、第１実施形態では、第１本体部１１を、第２本体部１２よりも大きい比重を有するように構成する。これにより、ポンプ３を取り付けるための吸水装置取付部１１１を含む第１本体部１１の強度を容易に高くすることができる。
【００５７】
また、第１実施形態では、２つの第２本体部１２が接続する境界の下方に第１本体部１１を配置し、２つの第２本体部１２を、境界近傍において連結部材１３により互いに連結する。これにより、第１本体部１１を挟むようにして、両側に第２本体部１２を配置することができるので、ウォーターフェンス１００の長さを容易に長くすることができる。
【００５８】
［第２実施形態］
次に、図１２〜図２１を参照して、本発明の第２実施形態について説明する。この第２実施形態では、設置力増強部材が１層により形成されている上記第１実施形態とは異なり、設置力増強部材が２層により形成されている構成の例について説明する。
【００５９】
（ウォーターフェンスの構成）
図１２〜図２１を参照して、本発明の第２実施形態について説明する。第２実施形態によるウォーターフェンス２００は、建物への浸水を防いだり、工事現場などにおいて水を長時間せき止めたり、流れを有する河川などをせき止めたりするために用いられる。ウォーターフェンス２００は、図１２および図１３に示すように、ウォーターフェンス本体部２０１と、設置力増強部材２ａとを備えている。また、ウォーターフェンス本体部２０１には、自吸機能を有した自吸ポンプ（以下「ポンプ」と称す）３が接続されている。また、ポンプ３は、急な増水に対しても信頼性の高い水没使用が可能な防水構造を有するポンプとすることが望ましい。また、ウォーターフェンス本体部２０１には、重りとしてペットボトル４が配置されている。なお、ポンプ３は、特許請求の範囲の「吸水装置」の一例であり、ペットボトル４は、特許請求の範囲の「重り部材」の一例である。
【００６０】
（ウォーターフェンス本体部の構成）
ウォーターフェンス本体部２０１は、第１本体部２１０と、第２本体部２２０と、連結部材１３とを含んでいる。第１本体部２１０は、吸水装置取付部１１１と、吸水口部１１２（図１４参照）と、溝部２１１（図１４参照）と、嵌合部２１２（図１５参照）と、流路１１５（図１８参照）とを有している。第２本体部２２０は、重り収容部１２１（図１２参照）と、溝部２２１（図１４参照）と、連結用係合部１２３（図１５参照）と、嵌合部２２２（図１７参照）と、第１係合部１２５とを有している。
【００６１】
設置力増強部材２ａは、図１３および図１５に示すように、第１設置力増強部材２１と、第２設置力増強部材２２とを含んでいる。
【００６２】
ウォーターフェンス本体部２０１は、浸水を防止するための堰を形成している。具体的には、ウォーターフェンス本体部２０１は、図１２に示すように、第１本体部２１０のＸ方向の両端に、それぞれ、第２本体部２２０が接続されている。つまり、ウォーターフェンス本体部２０１は、複数に分割可能に構成されている。第２実施形態では、図１２および図１９に示すように、第２本体部２２０は、第１本体部２１０に覆いかぶさるように配置されている。つまり、第２本体部２２０は、平面視において（Ｚ方向から見て）、第１本体部２１０とオーバーラップするように配置されている。
【００６３】
具体的には、第２本体部２２０は、２つ設けられており、２つの第２本体部２２０が接続する境界の下方に第１本体部２１０が配置されている。また、２つの第２本体部２２０は、境界近傍においてゴム製の連結部材１３により互いに連結されている。詳しくは、図１５に示すように、第２本体部２２０の連結用係合部１２３同士が隣接し、密着して配置された状態で、連結部材１３が、２つの連結用係合部１２３に係合している。連結部材１３は、第２本体部２２０の側面（Ｙ１方向側およびＹ２方向側の側面）と、上面（Ｚ１方向側の面）とに跨って係合するように構成されている。第１本体部２１０および第２本体部２２０は、封止材を介して接していてもよい。また、２つの第２本体部２２０同士は、封止材を介して接していてもよい。
【００６４】
第１本体部２１０は、水を透過させない素材により形成されている。第１本体部２１０は、たとえば、ゴムや樹脂或いは金属などにより形成されている。第１本体部２１０の吸水装置取付部１１１には、図１２に示すように、ポンプ３が連結されるように構成されている。吸水装置取付部１１１は、ウォーターフェンス本体部２０１の底面２０１ａ側（Ｚ２方向側）に設けられた吸水口部１１２（図１４参照）と、流路１１５を介して連通している。つまり、ウォーターフェンス本体部２０１の底面２０１ａと設置面との間の水が、ポンプ３により吸水口部１１２および吸水装置取付部１１１を介して吸水される。図１８に示すように、吸水装置取付部１１１は、流路１１５に挿入されたパイプに設けられている。吸水口部１１２は、流路１１５に挿入されたパイプに設けられている。また、吸水口部１１２に、異物除去用のフィルターを設けてもよい。これにより、ポンプ３によって吸い込み、排出される水からゴミなどの異物を除去することができるので、緊急時の水として活用することも可能である。また、吸水口部１１２にフィルターを設けることにより、吸い上げる水とともに第１本体部２１０（ウォーターフェンス本体部２０１）内に異物が入り込むのを抑制することができる。なお、フィルターは吸込みから排出までの間に設けられれば良いので、ポンプ３の吸水用ホースなどに設けてもよい。
【００６５】
図１４に示すように、第１本体部２１０の下面側（Ｚ２方向側）には、溝部２１１が設けられている。溝部２１１には、設置力増強部材２ａが嵌り込むように配置される。また、溝部２１１は、吸水口部１１２をＹ方向に挟み込むように、１対設けられている。また、溝部２１１は、第１本体部２１０に連結される第２本体部２２０の溝部２２１とつながるように形成されている。
【００６６】
図１６に示すように、第１本体部２１０の底面部（Ｚ２方向側部）には、第２本体部２２０側に凸状に突出する嵌合部２１２が設けられている。嵌合部２１２は、第２本体部２２０の嵌合部２２２に嵌合するように構成されている。また、嵌合部２１２は、平面視において（Ｚ方向から見て）、第２本体部２２０とオーバーラップするように配置されている。つまり、嵌合部２１２は、第１本体部２１０および第２本体部２２０を底面を上にして組立てた場合に、第２本体部２２０に覆いかぶさるように、嵌合部２２２に嵌合する。
【００６７】
ここで、第２実施形態では、第１本体部２１０は、図１５に示すように、Ｈ１の高さを有するように形成されている。また、第２本体部２２０は、Ｈ２の高さを有するように形成されている。第１本体部２１０は、第２本体部２２０よりも小さい高さを有するように形成されている。具体的には、第１本体部２１０は、第２本体部２２０の半分以下の高さを有するように形成されている。つまり、Ｈ１≦Ｈ２／２である。また、第１本体部２１０は、第２本体部２２０よりも大きい比重を有するように構成されている。
【００６８】
図１２に示すように、第２本体部２２０は、箱型形状を有している。また、第２本体部２２０は、Ｘ方向に延びるように形成されている。また、第２本体部２２０は、水を透過させない素材により形成されている。第２本体部２２０は、たとえば、発砲スチロールやゴムや樹脂或いは金属などにより形成されている。第２本体部２２０の重り収容部１２１には、重りとしてのペットボトル４が収容されるように構成されている。第２本体部２２０の重り収容部１２１にペットボトル４が収容されることによりウォーターフェンス２００に加わる荷重を増すことが可能なように構成されている。なお、重り収容部１２１に、水、石、砂、土などを収容して重りとしてもよい。
【００６９】
図１４に示すように、第２本体部２２０の下面側（Ｚ２方向側）には、溝部２２１が設けられている。溝部２２１には、設置力増強部材２ａが嵌り込むように配置される。また、溝部２２１は、Ｕ字形状に形成されている。また、溝部２２１は、第２本体部２２０に連結される第１本体部２１０の溝部２１１とつながるように形成されている。つまり、第１本体部２１０の溝部２１１と、第２本体部２２０の溝部２２１とが連結されて、長方形のロ字形状の溝部が形成される。
【００７０】
図１７に示すように、第２本体部２２０の底面部（Ｚ２方向側部）には、第１本体部２１０の嵌合部２１２が嵌合する嵌合部２２２が設けられている。具体的には、嵌合部２２２は、凹状に形成されており、凸状の嵌合部２１２が嵌合するように構成されている。嵌合部２１２および嵌合部２２２が嵌合することにより、第１本体部２１０および第２本体部２２０を組み立てる際に、第１本体部２１０および第２本体部２２０がＹ方向およびＺ方向にずれることを抑制することができるとともに、第１本体部２１０と第２本体部２２０との向きを間違えることなく位置決めが容易となるので、組み立て作業を容易に行うことが可能である。また、ウォーターフェンス２００の設置時にＹ方向に力が加わった場合に、第２本体部２２０が第１本体部２１０に対して折れ曲がるのを抑制することが可能である。
【００７１】
第２本体部２２０の上面部（Ｚ１方向側部）には、第１係合部１２５が設けられている。具体的には、第１係合部１２５は、周状の溝により構成されている。第１係合部１２５は、重り収容部１２１の縁に沿って形成されている。第１係合部１２５は、第２本体部２２０の上面にさらに別の本体部を積載する際に、係合させるために設けられている。
【００７２】
図１３に示すように、設置力増強部材２ａは、ウォーターフェンス本体部２０１の底面２０１ａに配置され、ウォーターフェンス本体部２０１の設置面への設置性を向上させるように構成されている。つまり、ウォーターフェンス本体部２０１の設置時の自重と、ポンプ３が吸水することとによって、設置力増強部材２ａは、弾性圧縮変形するとともに、外部の水を所定量透過させることにより、ウォーターフェンス本体部２０１の設置面内の圧力を低圧安定させるように構成されている。
【００７３】
具体的には、設置力増強部材２ａは、ウォーターフェンス本体部２０１の自重と、ポンプ３が吸水することにより生じる負圧とにより、水の透過率が所定の値となることにより、ウォーターフェンス本体部２０１の底面２０１ａと設置面との間に外部からの水を所定量透過させてポンプ３の自吸水を確保するように構成されている。
【００７４】
ここで、第２実施形態では、設置力増強部材２ａは、第１設置力増強部材２１と、第２設置力増強部材２２とが積層されている。第１設置力増強部材２１は、設置面側（Ｚ２方向側）に配置されている。第２設置力増強部材２２は、ウォーターフェンス本体部２０１側に配置されている。第１設置力増強部材２１および第２設置力増強部材２２は、接着層（接着剤や接着テープなど）を介して貼り合わされている。
【００７５】
第１設置力増強部材２１は、半連続気泡構造を有しており、圧縮変形されることにより水の透過率が変化するように構成されている。第１設置力増強部材２１は、たとえば、半連続気泡構造の気孔率５０％〜６０％程度のやわらかいスポンジにより形成されている。また、第１設置力増強部材２１は、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。
【００７６】
第１設置力増強部材２１は、ウォーターフェンス本体部２０１の自重と、重り収容部１２１に取り付けられたペットボトル４の重さと、ポンプ３の吸引力によって生じる負圧とにより圧縮されるように構成されている。また、ポンプ３は、第１設置力増強部材２１を透過した水を、設置面内側の空間の空気と共に吸引するように構成されている。つまり、第１設置力増強部材２１により吸水された水が第１本体部２１０の流路１１５を介してポンプ３に吸引されるように構成されている。なお、ポンプ３は、空気とともに水を吸い込むので、ポンプ３の吐出口から水を吐き出す状態と、ポンプ３の吐出口から少しの水を空気とともに吐き出す状態とを数秒程度の周期で繰り返す間欠運転となる。
【００７７】
また、ポンプ３により、第１設置力増強部材２１を透過した水を、設置面内側の空間の空気と共に吸引することにより、ウォーターフェンス本体部２０１と設置面との間の空間の真空度が上げられる。これにより、設置面に対してウォーターフェンス本体部２０１を安定させて配置することが可能に構成されている。その結果、ウォーターフェンス本体部２０１が水により押されて変形したり、流されたりすることを効果的に抑制することが可能である。
【００７８】
第２設置力増強部材２２は、第１設置力増強部材２１よりも硬い材料により形成されている。第２設置力増強部材２２は、たとえば、硬質のスポンジ材やゴム材により形成されている。第２設置力増強部材２２は、ウォーターフェンス本体部２０１の自重やポンプ３の吸引力による負圧によって圧縮されない程度の硬さを有する。また、第２設置力増強部材２２は、は、ウォーターフェンス本体部２０１の底面２０１ａの溝部２１１および２２１の幅より若干大きい幅を有するように形成されているので、第２設置力増強部材２２は、溝部２１１および２２１に圧入されることによりウォーターフェンス本体部２０１の底面２０１ａに取り付けられるように構成されている。これにより、設置力増強部材２ａが経年劣化などにより交換が必要となった場合でも容易に取替えることが可能である。
【００７９】
また、図１８に示すように吸水口部１１２にスリットや突起やバースクリーン等を設けるように端面部を凹凸状に構成すれば、吸水口部１１２端部の周方向から吸水することが可能になるので、吸水口部１１２が地面に接したとしてもスリットや、突起やバースクリーンの隙間から吸水することが可能である。つまり、第２設置力増強部材２２がウォーターフェンス本体部２０１から、Ｄ（たとえば５ｍｍ程度）出るように取り付けられた場合、吸水口部１１２も同様にウォーターフェンス本体部２０１からＤ（５ｍｍ程度）出る長さにまで構成することが可能である。また、バースクリーンの隙間から吸水することにより、異物の混入を抑制することができるので、ポンプ３に異物が吸い込まれるのを抑制することが可能である。
【００８０】
ポンプ３は、ウォーターフェンス本体部２０１の底面２０１ａと設置面との間の水を吸い取るように構成されている。また、ポンプ３は、水深が浅い水を吸水可能に構成されている。これにより、ポンプ３は、設置面とウォーターフェンス本体部２０１の底面２０１ａとの間に浸水した少量の水を効果的に排水することが可能である。
【００８１】
図２０を参照して、設置力増強部材２ａ（第１設置力増強部材２１および第２設置力増強部材２２）の特性の一例について説明する。
【００８２】
図２０に示すように、第１設置力増強部材２１は、たとえば、見掛け密度が１１０ｋｇ／ｍ3であり、引張強さが８０ｋＰａであり、伸びが４５０％である。また、第１設置力増強部材２１は、圧縮硬さが、圧縮率が２５％の場合、３．３ｋＰａであり、圧縮率が５０％の場合、４．５ｋＰａである。第２設置力増強部材２２は、見掛け密度が１１０ｋｇ／ｍ3であり、引張強さが１４８０ｋＰａであり、伸びが１２０％である。また、第２設置力増強部材２２は、たとえば、圧縮硬さが、圧縮率が２５％の場合、２７５ｋＰａであり、圧縮率が５０％の場合、４００ｋＰａである。つまり、第１設置力増強部材２１よりも第２設置力増強部材２２の方が硬い材料により形成されている。
【００８３】
図２１を参照して、第１設置力増強部材２１の特性（水透過）の一例について説明する。
【００８４】
図２１に示すように、水透過について、第１設置力増強部材２１は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、第１設置力増強部材２１は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、第１設置力増強部材２１は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００８５】
第１設置力増強部材２１に用いる気孔率５０％〜６０％程度の半連続気泡構造のやわらかいスポンジは、図２１に示す一例のように、圧縮率に応じた透過率となる。また、第１設置力増強部材２１は、５０％以上８０％以下の圧縮率になるように圧縮抑制することにより、半連続気泡構造のスポンジを透過する水量をポンプ３の呼び水として適度な透過水量に抑えることが可能である。また、第１設置力増強部材２１（スポンジ）を透過した水をポンプ３で排水するのでウォーターフェンス本体部２０１を越えて浸水させないようにすることが可能である。つまり、ポンプ３を駆動させた場合に、第１設置力増強部材２１の圧縮率が５０％以上８０％以下になることが好ましい。
【００８６】
なお、第２実施形態のその他の構成は、上記第１実施形態と同様である。
【００８７】
（第２実施形態の効果）
第２実施形態では、以下のような効果を得ることができる。
【００８８】
第２実施形態では、上記第１実施形態と同様に、第１本体部２１０を、第２本体部２２０よりも小さい高さを有するように形成するとともに、第２本体部２２０を、第１本体部２１０に覆いかぶさるように配置する。これにより、ウォーターフェンス２００の総重量が大きくなるのを抑制することができる。
【００８９】
また、第２実施形態では、設置力増強部材２ａは、設置面側に配置された第１設置力増強部材２１と、第１設置力増強部材２１より硬い材料により形成され、第１本体部２１０および第２本体部２２０側に配置された第２設置力増強部材２２とを積層状に構成する。これにより、第１設置力増強部材２１を、点字ブロックなどの設置面の凹凸に沿うように変形させることができるので、ウォーターフェンス２００の設置性および水密性をより向上させることができる。また、第１設置力増強部材２１より硬い第２設置力増強部材２２を設けることにより、点字ブロックなどの設置面の凸部が第１本体部２１０または第２本体部２２０に直接当たることに起因してウォーターフェンス２００が傾いて設置されるのを抑制することができる。これにより、吸水口部分が吸水面から離脱して空気中に配置されるのを抑制することができるので、ポンプ３が空運転するのを効果的に抑制することができる。
【００９０】
なお、第２実施形態のその他の効果は、上記第１実施形態と同様である。
【００９１】
［第３実施形態］
次に、図２２〜図２４を参照して、本発明の第３実施形態について説明する。この第３実施形態では、ウォーターフェンス本体部が第１本体部および第２本体部を含む上記第１および第２実施形態とは異なり、ウォーターフェンス本体部が第１本体部、第２本体部および第３本体部を含む構成の例について説明する。
【００９２】
図２２に示すように、第３実施形態のウォーターフェンス３００は、ウォーターフェンス本体部３０１と、設置力増強部材２とを備えている。また、ウォーターフェンス本体部３０１には、ポンプ３が接続されている。なお、ポンプ３は、特許請求の範囲の「吸水装置」の一例である。
【００９３】
ウォーターフェンス本体部３０１は、第１本体部１１と、第２本体部１２と、連結部材１３と、第３本体部１４とを含んでいる。図２３および図２４に示すように、第３本体部１４は、重り収容部１４１と、連結用係合部１４２と、第２係合部１４３と、第３係合部１４４とを有している。
【００９４】
ここで、第３実施形態では、図２２に示すように、第２本体部１２は、第１本体部１１に覆いかぶさるように配置されている。つまり、第２本体部１２は、平面視において（Ｚ方向から見て）、第１本体部１１とオーバーラップするように配置されている。
【００９５】
また、第３実施形態では、第３本体部１４は、第２本体部１２の上面に積載可能に構成されている。つまり、第３本体部１４を第２本体部１２の上面に積載することにより、ウォーターフェンス３００の高さを大きくすることが可能である。図２３に示すように、第３本体部１４は、略直方体の箱型形状を有している。また、第３本体部１４は、Ｘ方向に延びるように形成されている。また、第３本体部１４は、水を透過させない素材により形成されている。第３本体部１４は、たとえば、発砲スチロールやゴムや樹脂或いは金属などにより形成されている。第３本体部１４の重り収容部１４１には、重りとしてのペットボトル４が収容されるように構成されている。第３本体部１４の重り収容部１４１にペットボトル４が収容されることによりウォーターフェンス３００に加わる荷重を増すことが可能なように構成されている。なお、重り収容部１４１に、水、石、砂、土などを収容して重りとしてもよい。
【００９６】
第３本体部１４のＸ方向側の両端には、図２３に示すように、連結用係合部１４２が設けられている。図２２に示すように、第３本体部１４の連結用係合部１４２同士が隣接し、密着して配置された状態で、連結部材１３が、２つの連結用係合部１４２の両方に係合している。連結部材１３は、第３本体部１４の側面（Ｙ１方向側およびＹ２方向側の側面）と、上面（Ｚ１方向側の面）とに跨って係合するように構成されている。なお、２つの第３本体部１４同士は、封止材を介して接していてもよい。
【００９７】
第３本体部１４の底面部（Ｚ２方向側部）には、図２４に示すように、第２係合部１４３が設けられている。具体的には、第２係合部１４３は、周状の凸部により構成されている。第２係合部１４３は、第３本体部１４の底面の縁に沿って形成されている。第３本体部１４を第２本体部１２の上面に積載する際に、第２本体部１２の第１係合部１２５と第３本体部１４の第２係合部１４３とが係合するように構成されている。
【００９８】
第３本体部１４の上面部（Ｚ１方向側部）には、第３係合部１４４が設けられている。具体的には、第３係合部１４４は、周状の溝により構成されている。第３係合部１４４は、重り収容部１４１の縁に沿って形成されている。第３係合部１４４は、第３本体部１４の上面にさらに別の第３本体部１４を積載する際に、さらに積載される第３本体部１４の第２係合部１４３と係合させるために設けられている。
【００９９】
なお、第３実施形態のその他の構成は、上記第１実施形態と同様である。
【０１００】
（第３実施形態の効果）
第３実施形態では、以下のような効果を得ることができる。
【０１０１】
第３実施形態では、上記第１実施形態と同様に、第１本体部１１を、第２本体部１２よりも小さい高さを有するように形成するとともに、第２本体部１２を、第１本体部１１に覆いかぶさるように配置する。これにより、ウォーターフェンス３００の総重量が大きくなるのを抑制することができる。
【０１０２】
また、第３実施形態では、第２本体部１２の上面に積載可能な第３本体部１４を設ける。これにより、ウォーターフェンス３００の高さを容易に大きくすることができるので、高い水位の水をより容易にせき止めることができる。
【０１０３】
また、第３実施形態では、第３本体部１４を第２本体部１２の上面に積載する際に、第２本体部１２の第１係合部１２５と第３本体部１４の第２係合部１４３とが係合するように構成する。これにより、第３本体部１４を第２本体部１２上に安定して積載させることができる。
【０１０４】
なお、第３実施形態のその他の効果は、上記第１実施形態と同様である。
【０１０５】
［第４実施形態］
次に、図２５を参照して、本発明の第４実施形態について説明する。この第４実施形態では、ウォーターフェンス本体部が２つの第２本体部を含む上記第１〜第３実施形態とは異なり、ウォーターフェンス本体部が１つの第２本体部を含む構成の例について説明する。
【０１０６】
図２５に示すように、第４実施形態のウォーターフェンス４００は、ウォーターフェンス本体部４０１と、設置力増強部材２とを備えている。また、ウォーターフェンス本体部４０１には、ポンプ３（図１参照）が接続される。なお、ポンプ３は、特許請求の範囲の「吸水装置」の一例である。
【０１０７】
ウォーターフェンス本体部４０１は、第１本体部４１０と、第２本体部４２０とを含んでいる。ここで、第４実施形態では、図２５に示すように、第２本体部４２０は、第１本体部４１０に覆いかぶさるように配置されている。つまり、第２本体部４２０は、平面視において（Ｚ方向から見て）、第１本体部４１０とオーバーラップするように配置されている。また、第１本体部４１０は、ウォーターフェンス本体部４０１のＸ方向における略中央に配置されている。
【０１０８】
なお、第４実施形態のその他の構成は、上記第１実施形態と同様である。
【０１０９】
（第４実施形態の効果）
第４実施形態では、以下のような効果を得ることができる。
【０１１０】
第４実施形態では、上記第１実施形態と同様に、第１本体部４１０を、第２本体部４２０よりも小さい高さを有するように形成するとともに、第２本体部４２０を、第１本体部４１０に覆いかぶさるように配置する。これにより、ウォーターフェンス４００の総重量が大きくなるのを抑制することができる。
【０１１１】
また、第４実施形態では、第１本体部４１０を覆うように１つの第２本体部４２０を配置する。これにより、第２本体部４２０を複数設ける場合と比べて、部品点数を減少させることができる。
【０１１２】
なお、第４実施形態のその他の効果は、上記第１実施形態と同様である。
【０１１３】
［第５実施形態］
次に、図２６を参照して、本発明の第５実施形態について説明する。この第５実施形態では、第２本体部に挟まれるように第１本体部が配置される上記第１〜第４実施形態とは異なり、第１本体部の一方側に第２本体部が配置される構成の例について説明する。
【０１１４】
図２６に示すように、第５実施形態のウォーターフェンス５００は、ウォーターフェンス本体部５０１と、設置力増強部材２とを備えている。また、ウォーターフェンス本体部５０１には、ポンプ３（図１参照）が接続される。なお、ポンプ３は、特許請求の範囲の「吸水装置」の一例である。
【０１１５】
ウォーターフェンス本体部５０１は、第１本体部５１０と、第２本体部５２０とを含んでいる。ここで、第５実施形態では、図２６に示すように、第２本体部５２０は、第１本体部５１０に覆いかぶさるように配置されている。つまり、第２本体部５２０は、平面視において（Ｚ方向から見て）、第１本体部５１０とオーバーラップするように配置されている。また、第１本体部５１０は、ウォーターフェンス本体部５０１のＸ方向における一方側（Ｘ１方向側）に配置されている。
【０１１６】
なお、第５実施形態のその他の構成は、上記第１実施形態と同様である。
【０１１７】
（第５実施形態の効果）
第５実施形態では、以下のような効果を得ることができる。
【０１１８】
第５実施形態では、上記第１実施形態と同様に、第１本体部５１０を、第２本体部５２０よりも小さい高さを有するように形成するとともに、第２本体部５２０を、第１本体部５１０に覆いかぶさるように配置する。これにより、ウォーターフェンス５００の総重量が大きくなるのを抑制することができる。
【０１１９】
なお、第５実施形態のその他の効果は、上記第１実施形態と同様である。
【０１２０】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【０１２１】
たとえば、上記第１〜第５実施形態では、ウォーターフェンスが直線的に形成されている構成の例を示したが、本発明はこれに限らない。本発明では、ウォーターフェンスが折れ曲がるように形成されていてもよい。たとえば、直線状の第２本体部と、折れ曲がる継手部分としての第１本体部とを連結してウォーターフェンスを形成してもよい。
【０１２２】
また、上記第１〜第５実施形態では、重り部材としてペットボトルを用いた例を示したが、本発明はこれに限らない。本発明では、ペットボトル以外の部材を重り部材として用いてもよい。たとえば、バーベルや石などを重り部材として用いてもよい。
【０１２３】
また、上記第１〜第５実施形態では、第１本体部は、第２本体部の半分以下の高さを有するように形成されている例を示したが、本発明はこれに限らない。本発明では、第１本体部が第２本体部よりも小さい高さを有するように形成されていれば、半分以下の高さに形成されていなくてもよい。
【０１２４】
また、上記第１、第３〜第５実施形態では、設置力増強部材が１層により形成され、上記第２実施形態では、設置力増強部材が、第１設置力増強部材および第２設置力増強部材の２層により形成されている例を示したが、本発明はこれに限らない。本発明では、３層以上により形成してもよい。また、設置力増強部材を設けなくてもよい。
【０１２５】
また、設置力増強部材を、気孔率８０％〜９０％程度のスポンジ材により形成してもよい。また、設置力増強部材を、吸水率が大きい材料により形成してもよい。たとえば、設置力増強部材を、ＰＶＡ（ポリビニールアルコール）製のスポンジ材により形成してもよい。
【０１２６】
また、上記第１〜第５実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【０１２７】
また、上記第１〜第５実施形態では、ウォーターフェンスのみにより浸水を防ぐ例を示したが、本発明はこれに限らない。本発明では、ウォーターフェンスに加えて、土嚢や水嚢を周辺に配置して、浸水を防いでもよい。これにより、押し寄せる水の量が多い場合でも、ウォーターフェンスの周囲に土嚢や水嚢を設置することによって、ウォーターフェンスの背面から回り込もうとする水をせき止めるとともに、回り込もうとする水をウォーターフェンスの側面側の設置力増強部材から吸引することができる。
【０１２８】
また、上記第１〜第３実施形態では、２つの第２本体部を連結部材により係合させて連結する構成の例を示したが、本発明はこれに限らない。本発明では、２つの第２本体部をボルトなどにより締結して連結してもよい。
【０１２９】
また、上記第１〜第５実施形態では、吸水装置取付部が設けられる流路を片側のみにポンプが連結されるようにＬ字状に構成されている構成の例を示したが、本発明はこれに限らない。本発明では、吸水装置取付部が設けられる流路をＴ字状に構成して、Ｙ１方向、Ｙ２方向のいずれからでもポンプを連結可能に構成してもよい。なお、Ｔ字状に構成した流路に設けられた吸水装置取付部のポンプを連結しない側はバルブ等で閉じておくことが望ましい。また、吸水装置取付部を設ける流路をＴ字状に構成することで、２台のポンプを同時に連結可能に構成することが可能である。
【０１３０】
また、上記第１〜第３実施形態では、第１本体部に突出する凸状の嵌合部を設け、第２本体部に第１本体部の突出する嵌合部が嵌合する凹状の嵌合部を設ける構成の例を示したが、本発明はこれに限らない。本発明では、第１本体部および第２本体部の両方に凸状の嵌合部と凹状の嵌合部とを半分ずつ設けてもよいし、第１本体部に凹状の嵌合部を設けて、第２本体部に凸状の嵌合部を設けてもよい。また、第１本体部および第２本体部に嵌合部を設けなくてもよい。
【０１３１】
また、上記第１〜第３実施形態では、第１本体部および第２本体部の底面に嵌合部を設ける構成の例を示したが、本発明はこれに限らない。本発明では、第１本体部および第２本体部の接合面の全周に嵌合部を設けてもよく、このように構成することで、第１本体部および第２本体部のＹ方向およびＺ方向のずれを防ぐだけではなく、Ｘ方向も含めたずれを防ぐことができるように構成することができる。
【符号の説明】
【０１３２】
２、２ａ  設置力増強部材
３  ポンプ（吸水装置）
４  ペットボトル（重り部材）
１１、２１０、４１０、５１０  第１本体部
１２、２２０、４２０、５２０  第２本体部
１３  連結部材
１４  第３本体部
２１  第１設置力増強部材
２２  第２設置力増強部材
１００、２００、３００、４００、５００  ウォーターフェンス
１１１  吸水装置取付部
１２１  重り収容部
１２５  第１係合部
１４３  第２係合部
【図１】
0006514127.tif 000002
【図２】
0006514127.tif 000003
【図３】
0006514127.tif 000004
【図４】
0006514127.tif 000005
【図５】
0006514127.tif 000006
【図６】
0006514127.tif 000007
【図７】
0006514127.tif 000008
【図８】
0006514127.tif 000009
【図９】
0006514127.tif 000010
【図１０】
0006514127.tif 000011
【図１１】
0006514127.tif 000012
【図１２】
0006514127.tif 000013
【図１３】
0006514127.tif 000014
【図１４】
0006514127.tif 000015
【図１５】
0006514127.tif 000016
【図１６】
0006514127.tif 000017
【図１７】
0006514127.tif 000018
【図１８】
0006514127.tif 000019
【図１９】
0006514127.tif 000020
【図２０】
0006514127.tif 000021
【図２１】
0006514127.tif 000022
【図２２】
0006514127.tif 000023
【図２３】
0006514127.tif 000024
【図２４】
0006514127.tif 000025
【図２５】
0006514127.tif 000026
【図２６】
0006514127.tif 000027